(57)【要約】【課題】防鳥ネットまたは防虫ネットその他の目的に使用可能なネットであって、少なくとも片面に金属や合金、金属化合物等からなる蒸着膜を備えたネットを、スパッタリング等の物理蒸着により、被膜材料の無駄がなく、効率的に生産できるようにする。【解決手段】繊維糸条からなる原料ネットの少なくとも片面に金属の単体、合金または金属化合物からなる被膜を物理蒸着によって形成するに際し、上記の原料ネットとして、その長さ方向に対して左上がりに傾斜する糸条および右上がりに傾斜する糸条の２種類の糸条からなり、この２種類の糸条が交差部で結合されて菱形または亀甲形の網目が形成されたネットを用い、この原料ネットを平面状態に保持した状態で長さ方向に緊張し、幅を狭めて網目孔を縮小した状態で物理蒸着を行なう。【選択図】    なし【特許請求の範囲】
【請求項１】
繊維糸条からなる原料ネットの少なくとも片面に金属、合金または金属化合物からなる被膜を物理蒸着によって形成するに際し、上記の原料ネットとして、その長さ方向に対して左上がりに傾斜する糸条および右上がりに傾斜する糸条の２種類の糸条からなり、この２種類の糸条が交差部で結合されて菱形または亀甲形の網目が形成されたネットを用い、この原料ネットを平面状態に保持した状態で長さ方向に緊張し、幅を狭めて網目孔を縮小した状態で物理蒸着を行なうことを特徴とするネットの表面処理方法。
【請求項２】
被膜を抗菌性または消臭性を有する金属または合金で形成する請求項１に記載のネットの表面処理方法。
【発明の詳細な説明】
【技術分野】
【０００１】
この発明は、繊維製ネットの網糸表面を金属や合金、金属化合物からなる蒸着膜で被覆するネットの表面処理方法に関し、鳥や虫等の小動物が空から人家や畑、鶏舎等に飛来するのを防ぐために使用可能なネットを提供する。
【背景技術】
【０００２】
烏や鳩、雀その他の野鳥が人家や畑、鶏舎等に近寄って環境を汚したり、また農作物を荒らしたりするのを防ぐため、特定の区域をネット、いわゆる防鳥ネットで囲んだり、建物の開口部に防鳥ネットを張ったりすることが行なわれているが、この防鳥ネットには下記の特許文献１に示すように結節ネット、例えば蛙股ネットが使用されている。しかしながら、防鳥ネットの網糸には、透明糸や、黒色、褐色その他の目立ち難い色糸が使用されているため、上記の野鳥が防鳥ネットに引掛かり、死んでしまうことがあった。
【特許文献１】特開２０００−１１０２２９号公報
【０００３】
一方、家屋の開口部に張る防虫ネットとして、室内から屋外を眺めた際は屋外が透けて見え、反対に屋外からは室内が見えないようにするため、防虫ネットを暗色系の色糸で編織し、その片面の糸にスパッタリング加工で金属膜を形成し、金属膜側を外に向けるようにすることが下記の特許文献２等で知られている。しかしながら、この防虫ネットを防鳥ネットとして用いたとき、外面がきらきら光るため、野鳥が近寄らない反面、スパッタリング加工の際に大部分の金属が網目を通過し、きわめて不経済であり、かつ蒸着用チャンバの内壁が蒸発金属で汚染されるという問題があった。
【特許文献２】実用新案登録第３０２２４４９号公報
【発明の開示】
【発明が解決しようとする課題】
【０００４】
この発明は、防鳥ネットまたは防虫ネット、消臭、抗菌その他の目的に使用可能なネットであって、少なくとも片面に使用目的に応じて金属や合金、金属化合物等の蒸着膜を備えたネットを、スパッタリング等の物理蒸着により、被膜材料の無駄がなく、効率的に生産できるようにするものである。
【課題を解決するための手段】
【０００５】
この発明では、物理蒸着を施すための原料ネットとして、魚網用の結節網のように、長さ方向に対して左上がりに傾斜する糸条および右上がりに傾斜する糸条の２種類の糸条からなり、この２種類の糸条の交差部が結合されて菱形または亀甲形の網目が形成されたネットを用い、この原料ネットの少なくとも片面に金属、合金または金属化合物からなる蒸着膜を真空蒸着、スパッタリング、イオンプレーティングまたはイオンビーム等の物理蒸着によって形成する。ただし、この発明では、上記の物理蒸着に際し、上記の原料ネットを平面状態に保持した状態で長さ方向に緊張し、幅を狭めて網目孔を縮小した状態で物理蒸着を行なう。
【０００６】
すなわち、網目形状が菱形または亀甲形の原料ネットを用い、この原料ネットを長さ方向に緊張し、幅を狭くして網目孔を縮小し、好ましくは網目孔がほぼ消失した状態でスパッタリングその他の物理蒸着を行なうので、原料ネットに向かって飛散した蒸発原子は、原料ネットの網目孔を素通りすることなく、大多数が原料ネットの構成糸条に衝突して付着する。したがって、蒸着用金属材料の使用量が大幅に節約され、かつ蒸着用チャンバ内壁の蒸発原子による汚染が防止される。
【０００７】
上記の原料ネットを構成する糸条は、編織が可能な繊維糸条であれば任意であるが、合成繊維、例えばポリエステル、ナイロン、ポリエチレンおよびポリプロピレン、特にポリエステルのモノフィラメント糸およびマルチフィラメント糸等のフィラメント糸は、含有水分が天然繊維や再生繊維に比して少なく、蒸着が容易で、かつ蒸着被膜の耐剥離性に優れる点で好ましい。また、ナイロン、ポリエチレン、ポリプロピレンは、柔軟で、ネットに容易に加工できる点で好ましい。そして、上記のフィラメント糸は、単糸または撚糸の形で、また鎖編みによる鎖の形で用いることができる。なお、上記のフィラメント糸は、透明なままで用いることができるが、あらかじめ原液着色により任意の色、例えば黒色、褐色、青色、赤色、黄色、白色等に着色して用いることもできる。また、上記フィラメント糸の繊度は、用途に応じて任意であり、例えば５０〜５００００デニールに設定される。
【０００８】
この発明で用いる原料ネットは、その構成糸条が原料ネットの長さ方向に対し左上がりに傾斜するものと、右上がりに傾斜するものとの２方向の糸条を用いて菱形網目または亀甲形網目を構成するものであれば任意であり、結節網、無結節網およびラッシェル網等が代表的であり、結節網としては菱形網目の本目網、蛙股網、二重蛙股網、二重本目網等があげられ、無結節網としては菱形網目の貫通式、千鳥式および亀甲形網目の亀甲式があげられる。また、ラッシェル網では、菱形網目および亀甲形網目が使用可能であり、この場合は、長さ方向に対して左上がりまたは右上がりに傾斜する部分がフィラメント糸そのものでなく、フィラメント糸を鎖編みして得られる１本の編み鎖で形成される。また、上記の原料ネットは、左上がりの傾斜フィラメント糸および右上がりの傾斜フィラメント糸を交差部で融着して作ることもできる。なお、網目の大きさ（隣接する結節間距離）は、用途に応じて任意に、例えば１〜100ｍｍに設定される。
【０００９】
上記の原料ネットは、蒸着に先立ち、あらかじめ乾燥した後、平面状態に保持した状態で長さ方向に緊張し、その幅を狭めて網目を縮小し、好ましくは網目孔がほぼ消失した状態で蒸着用チャンバ内にセットされる。または、上記のように緊張により網目を縮小した状態でロールに巻かれ、このロールが蒸着用チャンバ内に原料ネットの引出し可能状態にセットされる。そして、上記のチャンバ内を所定の真空度に減圧した後、所定の金属を真空蒸着法、スパッタリング法その他の物理蒸着法によって蒸発させ、これを上記の原料ネットの片面に蒸着させる。蒸着膜の厚さは、蒸着時間または引出し速度の調節により、10〜1000ｎｍに設定される。なお、必要により、片面に蒸着したのち、原料ネットを裏返し、他面にも蒸着することができる。
【００１０】
蒸着材料としては、単体金属、合金、金属化合物の中から目的に応じて任意の材料が選択される。例えば、単なる防虫や防鳥を目的として蒸着面の光沢を重視する場合は、金属光沢が良好な蒸着膜であれば任意であり、ステンレス鋼、銀、銅、チタン、ニッケル、ニッケル・銅合金等が選択される。特にステンレス鋼およびニッケル・銅合金は耐食性に優れる点で好ましい。また、銅、銀、ニッケル・銅合金は抗菌性や消臭性を付与する場合に用いることができる。また、チタン・銀合金または酸化チタンからなる蒸着膜は、光触媒機能を備え、抗菌性および消臭性に優れる点で好ましい。なお、酸化チタンのような金属酸化物の蒸着膜は、チタン等の金属原子を蒸発させ、蒸着チャンバ内で酸化させて作ることができる。
【発明の効果】
【００１１】
この発明に係るネットの表面処理方法は、網目形状が菱形または亀甲形の原料ネットを長さ方向に緊張して網目孔を縮小した状態で金属等を物理蒸着するものであるから、金属等の蒸着原料の無駄が無くなり、かつ蒸着チャンバの内壁が金属等の蒸発原子で汚染されるのを防ぐことができる。そして、得られたネットには、蒸着材料の選択により種々の機能を与えることができ、蒸着面に金属光沢を付与した場合は、この光沢面を戸外に向けて使用することにより、野鳥の接近を防ぐことができ、そのため野鳥を殺さない防鳥ネットとして有効であり、また明るい屋外から屋内が見え難くなるので、家屋の防虫ネットとしても有効である。また、被膜の導電性により、汚れが付き難くなり、防汚性が良好となる。特に、請求項２に係る発明は、ネットに抗菌性または消臭性が付与することができる。
【発明を実施するための最良の形態】
【００１２】
黒色等の暗色に原料着色したポリエステルのマルチフィラメント糸を用いて結節網を製造し、この結節網を原料ネットに用い、その片面にスパッタリングを行なう。まず、上記の原料ネットを乾熱で水分率０．１％以下に乾燥し、この原料ネットを平面状に保ちながら長さ方向に緊張して幅を狭め、網目孔をほとんど消失させた状態でロールに巻取る。この乾燥された原料ネットの巻きロールをスパッタリング装置の密閉可能なチャンバ内にセットする。このチャンバには、あらかじめ銅、銀、銅合金および銀合金等の抗菌・消臭性金属からなる平板状のターゲット（陰極）および棒状陽極が対向して設けられ、上記の陰極からみて陽極の後方に上記巻きロールの送出し軸および該巻きロールから引出される原料ネットの巻取り軸が所定間隔で並設される。
【００１３】
上記のチャンバ内に原料ネットを巻取り軸に巻取り可能にセットした後、該チャンバ内を圧力１０−３Ｐa程度に減圧し、次いでアルゴンガスを導入してチャンバ内を圧力６×１０−２Ｐa程度のアルゴンガス雰囲気としたのち、上記の陽極と陰極との間に直流高電圧５００〜１０００Ｖを加えると共に、上記の送出し軸および巻取り軸を駆動し、送出し軸上の原料ネットを所定の速度で送出して巻取り軸に巻取り、この巻取り軸に向かう原料ネットの前面に陰極のターゲット表面から陽極に向かって飛散する金属原子を衝突、付着させ、これにより上記原料ネットを構成するマルチフィラメント糸の前面に上記の金属からなる抗菌・消臭性の蒸着膜を厚さ１０〜１０００ｎｍ程度に形成する。
【００１４】
得られた表面処理ネットは、その片面が銅、銀、銅合金および銀合金等の抗菌・消臭性金属からなる蒸着膜で被覆されていて金属光沢を備えているので、この表面処理ネットを防鳥ネットとして、その蒸着膜面が戸外に向くように用いると、外面が光って野鳥を近づけない。したがって、野鳥がネットに絡まって動けなくなることもない。また、蒸着膜が抗菌・消臭性を有するので、鶏舎等の囲いや窓に用いた場合に悪臭の飛散を防ぐことができ、また蒸着膜が導電性を有するので、塵埃の付着がなく、防汚性も良好である。
【００１５】
また、原料ネットを防虫ネット用として比較的小さい網目に作り、家屋の窓に蒸着面が戸外を向くように取付けると、原料ネットの構成マルチフィラメント糸が黒色等の暗色に原料着色されているため、戸外から屋内が見え難くなる反面、屋内からは戸外が見やすくなる。
【００１６】
上記の実施形態において、ターゲット金属としてステンレス鋼およびニッケル・銅合金等の耐食性金属を用いた場合は、耐食性が向上する。また、チタン・銀合金を用いた場合は、金属光沢を残したままで光触媒機能を付与することができる。